(57)【要約】【課題】フィルタを通して行われる換気の割合を高め、フィルタ部での除塵効率の低下を防いだ換気扇を得ること。【解決手段】フィルタ枠５ｂのフランジ部５ｅの複数箇所に形成された横方向に所定幅の張出し部７ａ、７ｂと、面板上の複数箇所に設けられ張出し部が面板上を横方向からスライドして係合する横方向に所定幅の鉤状の引掛け部６ａ、６ｂと、面板上に設けられ張出し部７ａ、７ｂが引掛け部と係合する正規位置までスライドしたときにフィルタ５に当接してフィルタ５のスライドを止めるストッパ１２と、フィルタ枠５ｂのフランジ部５ｅに形成された係合凸部１０と、面板上に設けられ、フィルタ枠５ｂが正規位置までスライドしたときに係合凸部１０に係合してフィルタ５のスライドをロックする係合孔と、を備える。【選択図】図２
2011144987.tif 000002
【特許請求の範囲】
【請求項１】
排気吸込口が形成された面板を有し前記排気吸込口の後方に配置されるファンモータを保持する本体フレームと、フィルタ枠で保持されたフィルタ網を有し前記面板の前面に装着され前記排気吸込口に設けられるフィルタと、前記フィルタ及び前記面板を覆うように前記面板外周部に装着されるグリルとを備える換気扇であって、
前記フィルタ枠のフランジ部の複数箇所に形成された横方向に所定幅の張出し部と、
前記面板上の複数箇所に設けられ前記張出し部が前記面板上を横方向からスライドして係合する横方向に所定幅の鉤状の引掛け部と、
前記面板上に設けられ前記張出し部が前記引掛け部と係合する正規位置までスライドしたときに前記フィルタに当接して前記フィルタのスライドを止めるストッパと、
前記フィルタ枠のフランジ部に形成された係合部と、
前記面板上に設けられ、前記フィルタ枠が前記正規位置までスライドしたときに前記係合部に係合して前記フィルタのスライドをロックする被係合部と、
を備えることを特徴とする換気扇。
【請求項２】
前記フィルタ枠の上部と下部との一方に、所定幅の複数の引出し部を横方向に設け、他方には所定幅の単数又は複数の引出し部を横方向に設け、前記複数の引出し部に対応させて複数の所定幅の引掛け部を前記面板の前面に配置したことを特徴とする請求項１記載の換気扇。
【請求項３】
前記フィルタ枠に設けられ、前記フィルタ枠が前記正規位置以外のときには、前記面板外周部にあって前記グリルと干渉して該グリルの前記本体フレームへの装着を妨害する干渉部を有することを特徴とする請求項１又は２記載の換気扇。
【請求項４】
前記干渉部が、前記フィルタ枠を前記面板に装着されるときに摘まれるツマミ部であることを特徴とする請求項３記載の換気扇。
【請求項５】
前記フィルタ枠の下部に、前記フィルタ網の面よりも前方に突出した凸部を備えることを特徴とする請求項１から４のいずれか１項記載の換気扇。
【発明の詳細な説明】
【技術分野】
【０００１】
本発明は、換気口にフィルタを備えた換気扇に関する。
【背景技術】
【０００２】
壁部・天井の換気口に埋設した通風パイプなどに装着され、屋内空気を換気する従来の換気装置として、ファンモータ部を設け周辺を枠状に形成したフレームと、このフレームのほぼ中央部に設けられるファンの吸込口に対応するベルマウスと、フレームに装着されるカバーと、カバー前面部に設けられるフィルタ部とを備え、フィルタ部にカバーに着脱自在な取付部材を形成したものがある（特許文献１参照）。
【先行技術文献】
【特許文献】
【０００３】
【特許文献１】特開２００４−１１６８９６号公報
【発明の概要】
【発明が解決しようとする課題】
【０００４】
しかしながら、上記従来の技術によれば、フィルタ部が本体を覆うカバー前面に取り付けられるため、カバーと本体との隙間から風が漏れ、完全にフィルタを通しての換気がし難く、フィルタ部の除塵効率が悪化するという問題があった。
【０００５】
本発明は、上記に鑑みてなされたものであって、フィルタを通して行われる換気の割合を高め、フィルタ部での除塵効率の低下を防いだ換気扇を得ることを目的とする。
【課題を解決するための手段】
【０００６】
上述した課題を解決し、目的を達成するために、本発明は、排気吸込口が形成された面板を有し排気吸込口の後方に配置されるファンモータを保持する本体フレームと、フィルタ枠で保持されたフィルタ網を有し面板の前面に装着され排気吸込口に設けられるフィルタと、フィルタ及び面板を覆うように面板外周部に装着されるグリルとを備える換気扇であって、フィルタ枠のフランジ部の複数箇所に形成された横方向に所定幅の張出し部と、面板上の複数箇所に設けられ張出し部が面板上を横方向からスライドして係合する横方向に所定幅の鉤状の引掛け部と、面板上に設けられ張出し部が引掛け部と係合する正規位置までスライドしたときにフィルタに当接してフィルタのスライドを止めるストッパと、フィルタ枠のフランジ部に形成された係合部と、面板上に設けられ、フィルタ枠が正規位置までスライドしたときに係合部に係合してフィルタのスライドをロックする被係合部と、を備えることを特徴とする。
【発明の効果】
【０００７】
本発明によれば、カバーと本体との間に隙間が空かないようにしてフィルタを通して行われる換気の割合を高め、フィルタ部での除塵効率の低下を防ぐことができるという効果を奏する。
【図面の簡単な説明】
【０００８】
【図１】図１は、本発明にかかる換気扇の実施の形態を示す分解斜視図である。
【図２】図２は、換気扇にフィルタ枠を取り付ける前の状態を示す斜視図である。
【図３】図３は、フィルタ枠の背面図である。
【図４】図４は、グリルを取り外した換気扇の斜視図である。
【図５】図５は、張出し部と引掛け部との係合状態を示す斜視図である。
【図６】図６は、ツマミの拡大斜視図である。
【図７】図７は、フィルタ枠を取り付けた換気扇の断面図である。
【図８】図８は、係合凸部と係合孔との係合状態を示す断面図である。
【図９】図９は、状部の引掛け部の側面図である。
【図１０】図１０は、下部の引掛け部の側面図である。
【図１１】図１１は、フィルタ枠下部の凸部の側面図である。
【発明を実施するための形態】
【０００９】
以下に、本発明にかかる換気扇の実施の形態を図面に基づいて詳細に説明する。なお、この実施の形態によりこの発明が限定されるものではない。
【００１０】
実施の形態
図１は、本発明にかかる換気扇の実施の形態を示す分解斜視図であり、図２は、換気扇にフィルタ枠を取り付ける前の状態を示す斜視図であり、図３は、フィルタ枠の背面図であり、図４は、グリルを取り外した換気扇の斜視図であり、図５は、張出し部と引掛け部との係合状態を示す斜視図であり、図６は、ツマミの拡大斜視図であり、図７は、フィルタ枠を取り付けた換気扇の断面図であり、図８は、係合凸部と係合孔との係合状態を示す断面図であり、図９は、状部の引掛け部の側面図であり、図１０は、下部の引掛け部の側面図である。
【００１１】
図１に示すように、換気扇１００は、略矩形に形成された樹脂製の本体フレーム２と、本体フレーム２の後部に配置され本体フレーム２に保持されたファンモータ１と、ファンモータ１に駆動されるファン１ａと、本体フレーム２の面板３の前面に装着され換気口に設けられるフィルタ５と、本体フレーム２の面板３及びフィルタ５を覆い面板３の外周部に装着され、屋内の換気吸込口となる樹脂製のグリル８とを備えている。
【００１２】
図１、図２及び図７に示すように、本体フレーム２は、略中央部に円形の排気吸込口４が形成された略矩形の面板３と、面板３の外周部に形成された枠部２ａと、排気吸込口４に接続され面板３の後方へ延在してファンモータ１を保持し、通風パイプに嵌合される排気筒２ｂとを有している。
【００１３】
フィルタ５は、樹脂によって略矩形の額縁状に形成されたフィルタ枠５ｂと、フィルタ枠５ｂに溶着又は一体成形にて形成されるフィルタ網５ａとを有している。
【００１４】
グリル８は、矩形状の前面に縦方向スリット状の複数の通風口８ａが形成され、前面の外周部にグリル側面としての枠部８ｂを有する箱形に形成されている。
【００１５】
フィルタ枠５ｂは、本体フレーム２の面板３の前面に当接するフランジ部５ｅと、フランジ部５ｅの内周部から前方へ立ち上がる立ち上がり部５ｄと、図１１に示すようにフィルタ面よりも突出し、落下したホコリを保持する凸部５ｆとを有する。
【００１６】
図２に示すように、フィルタ枠５ｂのフランジ部５ｅの上部には、フィルタ枠５ｂを本体フレーム２の面板３の前面に係止して装着するための張出し部７ａ、７ａが、横方向に所定幅（２〜３ｃｍ程度）の台形状で、横方向に間隔を空けて２ヶ所に形成されている。また、フランジ部５ｅの下部には、右端から中央部までの幅で１ヶ所に張出し部７ｂが形成されている。また、フランジ部５ｅの右側部には、鉤形に前方に屈曲する干渉部としてのツマミ部９が形成されている。
【００１７】
図２、図９及び図１０に示すように、本体フレーム２の面板３の前面の上部には、張出し部７ａ、７ａを係合させる引掛け部６ａ、６ａが、横方向に所定幅（２〜３ｃｍ程度）の鉤状で、横方向に間隔を空けて張出し部７ａ、７ａに対応させて２ヶ所に配置されている。また、面板３の前面の下部には、張出し部７ｂを係合させる引掛け部６ｂが、横方向に所定幅（２〜３ｃｍ程度）で１ヶ所に配置されている。上部の引掛け部６ａ及び下部の引掛け部６ｂの横方向（左右方向）の幅は、上部の張出し部７ａの幅と略同一に形成されている。
【００１８】
二つの引掛け部６ａ、６ａを連続する一つの引掛け部６ａとして形成してもよいが、連続する一つの引掛け部６ａとして形成すると、フィルタ５を取り外すときにスライドさせる量が多くなる。本実施の形態では、引掛け部６ａを横方向に所定幅の引掛け部６ａ、６ａとして２ヶ所に配置し、フィルタ枠５ｂの上部の張出し部７ａを、横方向に所定幅の張出し部７ａ、７ａとして２ヶ所に配置することにより、フィルタ５の取り外し時のスライド量を少なくして取り外しやすくしている。
【００１９】
さらに、フィルタ５がフィルタ枠５ｂによって保持されていることとフィルタ枠５ｂの張出し部７ａ、７ｂが確実に引掛け部６ａ、６ｂに係合することとにより、フィルタ５の位置ずれがなく、またフィルタ面が前後に傾斜せず、本体面との密着性を保ち、漏れ風量を抑制できる。また、フィルタ網５ａに保持されたホコリが容易に落下しないようにする効果がある。
【００２０】
フィルタ５を本体フレーム２に装着するときは、図２に示すように、フィルタ枠５ｂのフランジ部５ｅ左側を本体フレーム２の面板３の右側に当接させた状態でフィルタ５を左方向（横方向）へスライドさせ、図５に示すように、フィルタ５の張出し部７ａ、７ｂをそれぞれ本体フレーム２の引掛け部６ａ、６ｂに重ね合わせて係合させる。
【００２１】
図２に示すように、本体フレーム２の面板３の左下角部には、フィルタ５が左方へスライドして張出し部７ａ、７ｂと引掛け部６ａ、６ｂとが重なり合って係合する正規位置に来たときにフィルタ５の左端に当接してフィルタ５のスライドを止めるＬ字形のストッパ１２が設けられている。正規位置では、張出し部７ｂの左端が引掛け部６ｂの左端に一致するように引掛け部６ｂが配置されている。
【００２２】
図２、図３及び図８に示すように、本体フレーム２の面板３の右側部の２ヶ所には、被係合部又は係合部としての半球状の係合凸部１０が設けられ、フィルタ枠５ｂの右側のフランジ部５ｅの２ヶ所には、係合凸部１０が係合する係合部又は被係合部としての係合孔１１が形成され、フィルタ枠５ｂが上記の正規位置までスライドしたときに係合凸部１０と係合孔１１とが係合し、フィルタ５の左右方向へのスライドをロックするようになっている。
【００２３】
図２及び図４に示すように、フィルタ５を本体フレーム２に装着するときは、右手でフィルタ５の右側のツマミ部９を摘み、フィルタ５のフランジ部５ｅ左側を本体フレーム２のフランジ部３の右側に当接させ、フィルタ５を左方へスライドさせ、図５に示すように、フィルタ５の上部の張出し部７ａ、７ａ、下部の張出し部７ｂを、それぞれ本体フレーム２の上部の引掛け部６ａ、６ａ、下部の引掛け部６ｂに係合させ、かつ、フィルタ５の左端をストッパ１２に当接させ、本体フレーム２の面板３の右側の係合凸部１０とフィルタ５の右側のフランジ部５ｅの係合孔１１とを係合させる。
【００２４】
フィルタ５は、本端フレーム２の面板３、上部の引掛け部６ａ、６ａ、下部の引掛け部６ｂ、ストッパ１２及び係合凸部１０により、本体フレーム２に対して、上下、左右及び前後に動かないように係止されるため、フィルタ枠５ｂと面板３とが密着し漏れ風量が軽減される。また、シャッタ５のツマミ部９を摘んで片手操作により本体フレーム２に容易に装着できる。
【００２５】
また、上部の張出し部７ａが横方向に所定幅に形成され、上部及び下部の引掛け部６ａ、６ｂが横方向に所定幅で形成され、フィルタ５の正規位置では上部の張出し部７ａと引掛け部６ａとが重なり合い、かつ、下部の張出し部７ｂの左端が引掛け部６ｂの左端と一致しているため、フィルタ５を上記の正規位置から右方向へ所定幅スライドさせれば、張出し部７ａ、７ｂと引掛け部６ａ、６ｂとの係合を解いて、フィルタ５を前方へ取り外すことができる。
【００２６】
また、図４及び図６に示すように、フィルタ５を上記の正規位置までスライドさせないと、干渉部としてのツマミ部９が面板３から右側にはみ出すようになっていて、グリル８を本体フレーム２に装着するとき、グリル８の側面（枠部）８ｂとツマミ部９が干渉して、グリル８を本体フレーム２に装着できないようになっている。これにより、フィルタ５の誤装着を防止できる。
【００２７】
なお、２ヶ所の引掛け部６ａ、６ａを連続する一つの引掛け部６ａとして形成してもよい。また、張出し部７ａ、７ｂを設けずに、フィルタ枠５ｂのフランジ部５ｅのレール状の上部及び下部を直接、引掛け部６ａ、６ｂに係合させてもよい。また、所定幅の張出し部７ａ及び引掛け部６ａを１ヶ所に配置し、所定幅の張出し部７ｂ及び引掛け部６ｂを２ヶ所に配置してもよい。また、ストッパ１２の設置位置は、本体フレーム２の面板３の左下角部でなくても面板３の任意の位置に設置できる。また、干渉部は、ツマミ部９とは別に、フィルタ枠５ｂの張出し部として設けてもよい。また、面板３に係合孔１１を設け、フィルタ枠５ｂに係合凸部１０を設けてもよい。
【００２８】
本実施の形態によれば、本体フレーム２の面板３の前面にフィルタ枠５を横方向から面板３上をスライドさせて係合させる鉤状の引掛け部６ａ、６ｂを設けたため、フィルタ枠５ｂが下方又は前方へ落下するおそれがなく、本体フレーム２とフィルタ５との密着性が向上し、フィルタ網５ａを介さずに換気する漏れ風量が少なく、フィルタ５での除塵効率を向上させることができる。また、フィルタ５は、横方向にスライドさせて取り外すため、メンテナンスの際にフィルタ網５ａに付着したほこりが落下しにくい。
【産業上の利用可能性】
【００２９】
以上のように、本発明にかかる換気扇は、壁部の換気口に埋設した通風パイプなどに装着されパイプ用換気扇に有用である。
【符号の説明】
【００３０】
１  ファンモータ
１ａ  ファン
２  本体フレーム
２ａ  枠部
３  面板
４  排気吸込口
５  フィルタ
５ａ  フィルタ網
５ｂ  フィルタ枠
５ｄ  立ち上がり部
５ｅ  フランジ部
５ｆ  凸部
６ａ、６ｂ  引掛け部
７ａ、７ｂ  張出し部
８  グリル
８ａ  通気口
９  ツマミ部
１０  係合凸部
１１  係合孔
１２  ストッパ
１００  換気扇
【図１】
2011144987.tif 000003
【図２】
2011144987.tif 000004
【図３】
2011144987.tif 000005
【図４】
2011144987.tif 000006
【図５】
2011144987.tif 000007
【図６】
2011144987.tif 000008
【図７】
2011144987.tif 000009
【図８】
2011144987.tif 000010
【図９】
2011144987.tif 000011
【図１０】
2011144987.tif 000012
【図１１】
2011144987.tif 000013